(57)【要約】【課題】人体のストレスを被験者に簡易且つ負担をかけることなく、正確に計測できる装置を提供する。【解決手段】前記課題を解決するために本発明の装置は、人体の７つの領域へ２個〜６個の電極を接触させ、該電極を通して微弱電流で刺激する。次いで、この刺激に対する生体電子的応答（インピーダンス）を１〜２回計測し、この値を電気信号として取り込み、演算処理後、人体の各領域のストレス状態を度合いとコメント、レーダーチャート等でわかりやすく表示モニターに表示することができ、この表示結果をプリンターで印刷することができ、さらに、記録媒体に保存することができる装置とした。さらに、該装置は、人が休憩時に使用する椅子・ベッド及び定期検診時に使用する体重計・脂肪計のような自然に立った状態で計測できる装置にした。【選択図】      図１
2005021414.tif 000002
【特許請求の範囲】
【請求項１】
プログラムされたコンピュータによって人体のストレスを計測する装置であって、頭に接触させるヘッドバンド１中に２個、両手で握って接触させるハンドバー２として２個、両足を載せて足裏を接触させるフットレスト３に２個の電極センサーと、装置の操作及び結果の表示等をする表示モニター４と、装置の制御・演算及び記憶する制御・演算・記憶部５と、該表示モニター４に表示された結果を印刷するプリンター６を組込み・収納し構成する人体のストレスを計測する装置。
【請求項２】
プログラムされたコンピュータによって人体のストレスを計測する装置であって、頭に接触させるヘッドバンド１中に２個の電極センサーと、装置の操作及び結果の表示等をする表示モニター４と装置の制御、演算及び記憶する制御・演算・記憶部５と、該表示モニター４に表示された結果を印刷するプリンター６を組込み・収納し構成する人体のストレスを計測する装置。
【請求項３】
請求項１記載の装置は、２個〜６個の電極センサーを人体の任意の箇所に接触させる手段と、該電極センサーを通して人体に微弱電流で刺激する手段と、その電極間のインピーダンス（電気特性曲線）として変換する手段と、その変換した電気特性曲線から人体のストレスを演算する手段と、その演算結果を判りやすくモニターに表示（人体の７つの領域毎に、ストレスをパーセントと色によって表示）する手段と、これらの手段を人が休憩時に使用する椅子・ベッドなど及び定期検診時に使用する体重計・脂肪計のような自然に立った状態で計測できる形状をした装置本体に組み込む事を特徴とする人体のストレスを計測するストレス計測装置。
【請求項４】
請求項３記載の装置で得られた個人データは制御・演算・記憶部５に記憶され、過去に計測された結果の個人データを、時系列的に表示モニター４に表示する事ができ、この表示結果をプリンター６で印刷でき、さらに、記録媒体に保存することができることを特徴とする人体のストレスを計測するストレス計測装置。
【請求項５】
プログラムされたコンピュータによって人体のストレスを計測する装置であって、頭に接触させるヘッドバンド１中に２個、両手で握って接触させるハンドバー２として２個、両足を載せ、足裏を接触させるフットレスト３に２個の電極センサーを装着する工程と、該電極センサーに微弱電流を流し刺激を与える工程と、次いで、インピーダンス（電気特性曲線）を１〜２回計測し、この電気特性曲線から人体のストレスを演算する工程と、その演算結果を判り易くモニターに表示（人体の７つの領域毎に、ストレスをパーセントと色によって表示）し、その結果をプリンター６で印刷する工程と記録媒体に保存する工程を備えたことを特徴とする人体のストレスを計測する方法。
【請求項６】
コンピュータによって人体のストレスを計測するための計測プログラムを記録した記録媒体であって、該計測プログラムは、頭に接触させるヘッドバンド１中に２個、両手で握って接触させるハンドバー２として２個、両足を載せ、足裏を接触させるフットレスト３に２個の電極センサーで１￣２回微弱電流で刺激し、その電極間のインピーダンス（電気特性曲線）として変換させ、次いで変換した電気特性曲線から人体のストレスを演算させ、その演算結果を判り易くモニターに表示（人体の７つの領域毎に、ストレスをパーセントと色によって表示）、さらには、コメントを表示させることを特徴とする人体のストレスを計測するプログラムを記録した記録媒体。
【発明の詳細な説明】
【０００１】
【産業上の利用分野】
本発明は、プログラムされたコンピュータによって人体のストレスを計測する装置に関するものである。
【０００２】
【従来の技術】
近年、リストラの不安、年棒制度など成果主義の導入、終身雇用制度の崩壊など、雇用環境の急激な変化は、労働者のストレスを増幅させている。労働者の約７０％が強い不安・悩み・ストレスがある状況の中で、効果的な対策を講じる必要が発生する。このためにも生体のストレスを計測できる装置がヘルスケア市場で強く望まれている。
【０００３】
従来、人体のストレスを計測する装置として、一酸化窒素合成酵素活性を測定し、その測定値を指標とした方法（特開平０８−２６２０２５）、微小振動を手の指先など人体の末端部で測定し、この測定値からストレス度を測定する装置（特開平０９−１１７４４０）は、人体の指先等の末梢部である皮膚温度の低下量を測定し、この低下量をもってストレス度の評価値とする装置（特開平０８−２５２２２６）などが開示されている。さらに発明者らによって、電極センサー、専用ＢＯＸ、制御部、モニターで構成された、人体のストレスを計測する装置（特開平２００３−１９１２２）なども開示されている。
【０００４】
【発明が解決しようとする課題】
人体のストレスは、一般的に特徴的な症状として発生することが少なく、発生の症状の形態も多様なことが多く、極めて難しい分野である。これはストレスが発生する要因が多種多様なものであり、該要因が複雑に絡み合って複合して発生しているものと考えられる。
【０００５】
被験者にとって、従来の装置によってストレスを計測し、その結果を心理学的に説明されても、この説明自体が難しいものであると、逆にストレスを受け蓄積されることがある。また、末梢部位の皮膚温度は環境状態に影響され易く、さらに、分析等を実施する方法は、比較的大きな測定システムを必要とする。また、ストレスをパーセントで示してもよくわからないことが多い。
【０００６】
本発明は、前記従来の技術の課題に鑑みなされたものであり、その目的は人体のストレスを被測定者に負担をかけることなく、より正確に計測でき、その計測結果が被験者に分かりやすい装置を提供することにある。
【０００７】
【課題を解決するための手段】
ストレスは心の病でもあり、無意識のうちに蓄積される。従って、簡易且つ正確にストレスが計測できれば、蓄積途中でのメンタルヘルスケアなどを施すことも可能となり、精神的な病の予防に対して有効な対策を講じることができる。
【０００８】
前記目的を達成するために本発明の装置は、２個〜６個の電極センサーを人体の任意の箇所に接触させ、該電極センサーを通して人体に微弱電流で刺激し、その電極間のインピーダンス（電気特性曲線）として変換し、その変換した電気特性曲線から人体のストレスを演算し、人体の各領域のストレス状態をストレス度合いとコメント、レーダーチャート等を表示することで、被験者等に対して、より分かりやすい装置とした。
【０００９】
人が休憩時に使用する椅子・ベッドなど及び定期検診時に使用する体重計・体脂肪計のような自然に立った状態で計測できる形状にすることで、計測時、被験者には負担のかからないものとした。また、２回目の計測をし、情報量をふやすことで信頼性をアップさせた装置とした。
【００１０】
【発明の実施の形態】
本発明のストレス計測装置を図面に基づき具体的に説明する。図１は本発明の装置を示したものである。１はヘッドバンド、２はハンドバー、３はフットレスト、４は表示モニター、５は制御・演算・記憶部、６はプリンターである。
【００１１】
図２は６個の前記電極センサーの取り付け位置（頭２箇所、手２箇所、足２箇所）と計測する７つの領域（頭部，肩部の左右、胸部、腹部の左右、下腹部）を示したものである。前記電極センサーが頭と頭の場合は頭部、頭と手の場合は肩部、手と手の場合は腹部、足と足の場合は下腹部の領域のストレス状態の計測を行う。
【００１２】
インピーダンス（電気特性曲線）を２回測定し、１回目と２回目の測定結果の差異を比較して、ストレス状態をより正確に計測することができる。
【００１３】
図３は前記電極センサーの間に微弱電流の刺激を与え、制御・演算・記憶部５を介して、該電極センサー間のインピーダンス（電気特性曲線）として変換した時の例を示す。この電気特性曲線の高さ、傾き及びその違いから、人体のストレスを計測する。
【００１４】
【実施例】
フットレストの上に両足を足形に合わせて載り、頭にヘッドバンドを装着し、両手でハンドバーを握る。次いで、電源スイッチをＯＮにすると、６個の前記電極センサー間のキャリブレーションを開始する。
【００１５】
前記電極間に微弱電流を与え、該センサー間から電気信号をインピーダンス（電気特性曲線）として変換させる。
【００１６】
計測する７つの領域は次の通りである。頭と頭の場合は頭部、頭と手の場合は肩部の左右、手と手の場合は胸部、手と足の場合は腹部の左右、足と足の場合は下腹部である。
【００１７】
前記電極センサー１から得られる電極信号は、制御・演算・記憶部５に電気特性曲線として取り込まれる。この曲線の高さ、傾き及びその違いから被測定者の人体のストレス度合いを演算する。
【００１８】
表示モニター４には、演算されたデータを前記制御・演算・記憶部５によって処理し、被測定者に対してわかりやすく表示できるようになっている。具体的には、ストレスがすぐわかることを目的として、人体の７つの領域ごとにパーセントで表示されるようになっている。また、ストレスが色でも判別できるようになっている（０％が青、５０％が緑、１００％が赤、その他は中間色）。さらに、コメント、レーダーチャート等を表示することで、被験者に対して、より分かりやすくなっている。
【００１９】
表示モニター４に表示された結果を、プリンター６により、印刷することができ、さらに、記録媒体に保存することができる。
【００２０】
得られた個人データは制御・演算・記憶部５に記憶され、過去に計測された結果の個人データを、時系列的に表示モニター４に表示することができる。
【００２１】
【発明の効果】
本発明は上述の装置とすることで、以下に記載されるような効果を奏する。
【００２２】
本発明の装置により、専門家でなく素人にも簡単に人体のストレス度合いを計測することができるので、被測定者における健康管理の一つの指標として用いることができる。
【００２３】
人体のストレスを被測定者に負担をかけることなく、測定ができるようになった。
【００２４】
ストレス度合いがパーセントと色で表示され、さらに、コメント、レーダーチャート等がでることにより、従来のものより、被測定者にとって、より分かりやすくなった。
【００２５】
インピーダンスを２回計測することで、情報量が増え、測定結果の信頼性がアップし、従来のものより、より正確にストレス状態がわかるようになった。
【図面の簡単な説明】
【図１】本発明の装置の説明図である。
【図２】本発明の電極センサーの取り付け位置と計測する７つの領域の説明図である。
【図３】本発明の電気特性曲線を示す説明図である。
【符号の説明】
１  ヘッドバンド
２  ハンドバー
３  フットレスト
４  表示モニター
５  制御・演算・記憶部
６  プリンター
【図１】
2005021414.tif 000003
【図２】
2005021414.tif 000004
【図３】
2005021414.tif 000005